(57)【特許請求の範囲】
【請求項１】
放電灯と、通信ケーブルからの信号に応じてＰＷＭ信号を出力する通信用のマイクロコンピュータと、このマイクロコンピュータから出力されるＰＷＭ信号をＤＣ電圧に変換する変換器と、この変換器によって変換されたＤＣ電圧のレベルに応じて周波数を変化させて動作し、交流電源から電力を得て前記放電灯を点灯するインバータとを備え、前記マイクロコンピュータは、前記通信ケーブルからの調光信号に応じて前記ＰＷＭ信号のオンデューティを変化させ、調光下限近傍以外での信号に対する出力の変化度合いと調光下限近傍での信号に対する出力の変化度合いを異ならせており、前記インバータは、調光変化幅の異なる複数種類のインバータの何れかであって、当該インバータの調光変化幅に応じて前記マイクロコンピュータが出力するＰＷＭ信号の周波数を変化させることを特徴とする放電灯点灯装置。
【請求項２】
前記インバータの調光変化幅の狭いものほど前記マイクロコンピュータが出力するＰＷＭ信号の周波数を高くすることを特徴とする請求項１記載の放電灯点灯装置。
【発明の詳細な説明】
【０００１】
【発明の属する技術分野】
本発明は、通信ケーブルからの信号に応じて光出力が変化するように放電灯の調光をする放電灯点灯装置に関するものである。
【０００２】
【従来の技術】
従来、放電灯点灯装置（バラスト）に調光信号としてのＰＷＭ信号を送信し、そのオンデューテイに応じて放電灯の調光をするのが一般的であった。
【０００３】
近年、ヨーロッパを中心に、照明制御システムとして、シリアル信号を各放電灯点灯装置に送信してこれを制御するシステム（ＤＡＬＩシステム）が開発されている。このようなシステムでは、シリアル信号受信用のマイコン（マイクロコンピュータ）が、照明器具などに設けられる放電灯点灯装置に必要となる。
【０００４】
図８にこの種の従来のシステム構成図を、そして図９に図８中の放電灯点灯装置の構成図を示す。図８のシステムは、複数の放電灯点灯装置８を通信ケーブルＬｓを介して接続することにより構成されている。
【０００５】
各放電灯点灯装置８は、図９に示すように、放電灯（蛍光灯）１１と、インバータ１２と、マイコン８３とを備えている。
【０００６】
インバータ１２には、ＡＣ−ＤＣ変換器として、交流電源ＡＣからの交流電力を直流電力に全波整流する整流器ＤＢと、この出力を昇圧するものであって、インダクタンス素子Ｌ１、スイッチング素子（図９ではＦＥＴ）Ｑ１、ダイオードＤ１および平滑コンデンサＣ１により構成される昇圧チョッパとが設けられている。この昇圧チョッパの出力となるコンデンサＣ１の両端には、ＤＣ−ＡＣ変換器として、ハーフブリッジ回路構成のスイッチング素子（図ではＦＥＴ）Ｑ２，Ｑ３が接続されている。そして、ＤＣ−ＡＣ変換器の出力のスイッチング素子Ｑ３には、上記放電灯１１を介して共振用のインダクタンス素子Ｌ２が接続され、その放電灯１１の非電源側には共振用のコンデンサＣ２が接続されている。
【０００７】
インバータ１２中の制御部１２０は、例えば、昇圧チョッパの出力レベルを検出してその昇圧チョッパの出力レベルが所定のレベルになるように、スイッチング素子Ｑ１のスイッチング制御を行うものである。
【０００８】
マイコン８３は、通信ケーブルＬｓからの信号に従って、スイッチング素子Ｑ２，Ｑ３のスイッチング制御を行うものであり、例えば、ＰＷＭ信号を出力してスイッチング素子Ｑ２，Ｑ３のスイッチング制御を行う。
【０００９】
このシステム構成では、シリアル信号を各放電灯点灯装置８のマイコン８３に送信することにより、各放電灯１１の調光が可能となるが、高速なマイコンを使用しなければ、ＤＣ−ＡＣ変換器の出力周波数の変化が粗くなり、調光時に光出力がちらつくという課題があった。
【００１０】
図１０にこの課題を解決し得る従来の放電灯点灯装置の構成図を、そして図１１に図１０中のＰＷＭ／ＤＣ変換器の回路例を示す。
【００１１】
図１０の放電灯点灯装置９は、放電灯１１と、インバータ１２と、マイコン８３とを上記放電灯点灯装置８と同様に備えているほか、ＰＷＭ／ＤＣ変換器１４と、オシレータ（波形発生器）１５とをさらに備えている。
【００１２】
ＰＷＭ／ＤＣ変換器１４は、図１１に示すように、ＣＲ回路の抵抗Ｒ１４およびコンデンサＣ１４により構成され、マイコン８３から出力されるＰＷＭ信号を入力し、そのオンデューティに応じてレベルが変化するＤＣ信号（電圧）を出力するものである。
【００１３】
オシレータ１５は、ＰＷＭ／ＤＣ変換器１４からのＤＣ電圧のレベルに応じて周波数が変化する信号をスイッチング素子Ｑ２，Ｑ３に出力するものである。このオシレータ１５から出力される信号の周波数によって、放電灯１１の光出力が調整されることになる。
【００１４】
この構成によれば、マイコン８３から出力されるＰＷＭ信号の変化が不連続であったとしても、ＣＲ回路での変換後のＤＣ信号が連続的に変化するので、放電灯１１の光出力がちらつくことなく、上記課題を解決することができる。
【００１５】
しかし、このような回路構成においては、調光の段階を多くするためには、上記ＰＷＭ信号のオンデューティのステップ変化数を多くする必要がある。マイコンのクロック周波数は、コスト的な面からほぼ決まってくるため、オンデューティのステップ数を増やすためには、ＰＷＭ信号の周波数を低くすればよい。つまり、ＰＷＭ信号の一周期の時間を延ばせばよい。ＰＷＭ信号の周波数を低くずれは、オンデューティのステップ数は自由に設計でき、光出力の設定を自由に調整できる。
【００１６】
なお、特開平９−１８０８９０号公報には、ＰＷＭ信号のオンデューティを変化させるだけで放電灯の点滅および調光を行うことができる放電灯点灯装置が記載されている。
【００１７】
【発明が解決しようとする課題】
図１０に示した従来の放電灯点灯装置によって、例えば、調光の変化レベルを対数曲線に近似させて変化させたい場合などにおいては、調光変化が僅かなところでも自在に光出力を設定させる必要があるため、光出力の変化の１ステップの変化量をわずかな量にする必要があり、そのため、調光幅全体にわたって調光変化のステップ数を増加させる必要があった。しかし、そのために、ＰＷＭの周波数を低くするため、ＰＷＭ／ＤＣ変換器のＣＲ時定数をより長めに設定する必要があった。
【００１８】
そのため、急に調光レベルを変化させたいときでも、マイコンからのＰＷＭ信号は、一瞬で変えることができても、ＣＲフィルタ回路でＰＷＭ信号を平滑してＤＣ電圧を得る上記のようなＰＷＭ／ＤＣ変換器では、急にＤＣ電圧を変化させることができずに、ＣＲ時定数で決定する時間遅れを生じて信号が伝達されることになる。そのため、急激な光出力変化が何回にも渡って行なわれると、光出力はそれに追従できなくなってしまうという課題があった。
【００１９】
本発明は、上記事情に鑑みてなされたものであり、信号に対する光出力の反応速度を高めて、光出力をきめ細かく変化させることができる放電灯点灯装置を提供することを目的とする。
【００２０】
【課題を解決するための手段】
上記課題を解決するための請求項１記載の発明は、放電灯と、通信ケーブルからの信号に応じてＰＷＭ信号を出力する通信用のマイクロコンピュータと、このマイクロコンピュータから出力されるＰＷＭ信号をＤＣ電圧に変換する変換器と、この変換器によって変換されたＤＣ電圧のレベルに応じて周波数を変化させて動作し、交流電源から電力を得て放電灯を点灯するインバータとを備え、マイクロコンピュータは、通信ケーブルからの調光信号に応じてＰＷＭ信号のオンデューティを変化させ、調光下限近傍以外での信号に対する出力の変化度合いと調光下限近傍での信号に対する出力の変化度合いが異ならせており、インバータは、調光変化幅の異なる複数種類のインバータの何れかであって、当該インバータの調光変化幅に応じてマイクロコンピュータが出力するＰＷＭ信号の周波数を変化させることを特徴とする。
【００２２】
請求項２記載の発明は、請求項１記載の放電灯点灯装置において、インバータの調光変化幅の狭いものほどマイクロコンピュータが出力するＰＷＭ信号の周波数を高くすることを特徴とする。
【００２６】
要するに、本発明は、インバータの調光幅、調光レベルに応じて、ＰＷＭ信号の周波数を変化させたり、ＰＷＭ信号の周波数を高く設定したまま、デューティの変化を工夫することによって、信号に対する光出力の反応速度を高めて、光出力をきめ細かく変化させる。
【００２７】
【発明の実施の形態】
（第１実施形態）
図１は本発明に係る第１実施形態の放電灯点灯装置の構成図、図２は０．１％の最小調光レベルの対数調光曲線を示す図である。
【００２８】
第１実施形態の放電灯点灯装置１は、図８に示したシステム（ＤＡＬＩシステム）の通信ケーブルＬｓに接続されるものであり、図１に示すように、放電灯１１と、インバータ１２と、ＰＷＭ／ＤＣ変換器１４と、オシレータ１５とを図１０に示した放電灯点灯装置９と同様に備えているほか、放電灯点灯装置９との相違点として、出力検出部１６と、マイコン１３とを備えている。
【００２９】
出力検出部１６は、インバータ１２の出力レベルを検出し、その出力レベルをデジタル値でマイコンに送信するものである。
【００３０】
マイコン１３は、通信ケーブルＬｓからの信号（ＤＡＬＩ信号）に従って、スイッチング素子Ｑ２，Ｑ３のスイッチング制御を行うものであり、従来のマイコン８３との相違点として、ＰＷＭ信号の周波数を変化させる。
【００３１】
ここで、ＤＡＬＩシステムでは、ＤＡＬＩデータをｎ（１≦ｎ≦２５４）としたとき、各ＤＡＬＩデータｎに対する光出力Ｘは、
Ｘ＝１０^((ｎ−１)/(２５３/３)−１)
の式で規定される。例えば、ｎ＝１の場合、光出力は０．１００％であり、ｎ＝２５４の場合、光出力は１００．０００％であり、その間を含む各光出力は、以下の（表１）に示す値となり、ｎ＝１からｎ＝２５４全体の光出力は、図２に示すように対数の曲線上を変化する。ただし、（表１）では、ｎ＝５１からｎ＝２００の各光出力は省略してある。
【００３２】
【表１】
0004971562.tif 000002
【００３３】
いま、放電灯点灯装置１について、インバータ１２には調光範囲の異なる３種類のインバータ１２Ａ，１２Ｂ，１２Ｃがあり、インバータ１２Ａの調光範囲は０．１〜１００％、インバータ１２Ｂの調光範囲は０．５〜１００％、そしてインバータ１２Ｃの調光範囲は３０〜１００％であるとする。
【００３４】
この場合において、各ＤＡＬＩデータで規定される調光の段階変化で出力可能なインバータ１２Ａ，１２Ｂ，１２Ｃに対して、各種クロック周波数のマイコンから出力されるＰＷＭ信号の周波数の値を以下の（表２）に示す。
【００３５】
【表２】
0004971562.tif 000003
【００３６】
この（表２）から分かるように、ＤＡＬＩの仕様に準じて調光を行なう場合、インバータ１２Ａは、ＤＡＬＩデータの１と２を識別する必要があるため、光出力比(表では調光比)で０．００３％の差を識別して出力する必要があり、そして０．１〜１００％の間に、(１００−０．１)/０．００３＝３６，０９１ のステップ数を必要とする。一方、これだけのステップ数でマイコンがＰＷＭ信号を出力する場合、ＰＷＭ信号の周波数は、マイコンのクロック周波数が４ＭＨｚである場合には１１０Ｈｚとなり、８ＭＨｚである場合には２２１Ｈｚとなり、そして１６ＭＨｚである場合には４４３Ｈｚとなる。このように高速のマイコンを使用すれば、ＰＷＭ信号の周波数が高くなり、従来例で述べたような調光信号に対する時間遅れの問題が解決される方向に行くが、マイコンが高速になるほどそのコストが高くなる。通常、安価な４ＭＨｚのマイコンが使用されることが多く、そのために０．１〜１００％の調光が可能なインバータ１２Ａには、４ＭＨｚのマイコンが適当であり、この場合、１１０Ｈｚの周波数のＰＷＭ信号が出力されることになる。
【００３７】
同様に、０．５〜１００％の調光が可能なインバータ１２Ｂでは、ステップ数が７，１７８となり、４ＭＨｚのマイコンの場合には、５５７Ｈｚの周波数のＰＷＭ信号が出力されることになる。また、３０〜１００％の調光が可能なインバータ１２Ｃでは、ステップ数が８４となり、４ＭＨｚのマイコンの場合には、４７，５７５Ｈｚの周波数のＰＷＭ信号が出力されることになる。なお、調光範囲が狭いものほど、マイコンのＰＷＭ信号の周波数を高く設定することができる。
【００３８】
そこで、第１実施形態のマイコン１３は、電源が投入されると、設定可能な周波数の中の最も低い周波数で、最低の調光レベルのＰＷＭ信号を送信し、出力検出部１６を通じてその時の出力を検出し、当該マイコン１３に接続されたインバータ１２の調光可能な範囲を読み取り、その結果に応じて、最適なＰＷＭ信号の周波数を選択し、その選択した周波数のＰＷＭ信号で調光をする。
【００３９】
例えば、４ＭＨｚのマイコンの場合、設定可能な周波数の中の最も低い周波数の１１０Ｈｚで、最低の調光レベルであるＤＡＬＩデータ１のＰＷＭ信号が送信される。このとき、出力検出部１６から調光可能な検出結果が得られれば、接続されているインバータ１２はインバータ１２Ａであると判別され、以後、１１０ＨｚのＰＷＭ信号で放電灯１１の調光が行われる一方、出力検出部１６から調光可能な検出結果が得られなければ、５５７Ｈｚで、ＤＡＬＩデータ６０のＰＷＭ信号が送信される。このとき、出力検出部１６から調光可能な検出結果が得られれば、接続されているインバータ１２はインバータ１２Ｂであると判別され、以後、５５７ＨｚのＰＷＭ信号で放電灯１１の調光が行われる一方、出力検出部１６から調光可能な検出結果が得られなければ、接続されているインバータ１２は最後に残ったインバータ１２Ｃであると判別され、以後、４７，５７５ＨｚのＰＷＭ信号で放電灯１１の調光が行われる。
【００４０】
つまり、マイコン１３は、当該マイコン１３に接続されているインバータ１２の種類（調光幅）に応じて、ＰＷＭ信号の周波数を切り替えるのであり、接続されているインバータ１２の調光幅が例えば狭いほど、ＰＷＭ信号の周波数を上げるのである。
【００４１】
第１実施形態によれば、接続されたインバータ１２に応じて、ＰＷＭ信号の周波数を高く設定することができるため、急激な調光信号に対しても、可能な限り早く対応することができる。従来では、調光範囲の狭いインバータの場合でも、マイコンは、調光範囲の広いインバータを想定して、低い周波数のＰＷＭ信号によりインバータを制御するため、急激な調光変化に対応することができない。第１実施形態では、調光信号に対するレスポンスを早めるので、ＤＡＬＩシステムのような対数曲線に準じた調光カーブで制御可能となる。
【００４２】
なお、第１実施形態では、マイコン１３に接続され得るインバータ１２の種類は、インバータ１２Ａ，１２Ｂ，１２Ｃの３種類であるとしたが、本発明は、３種類に限らず、２種類、３種類、４種類などの複数種類であればよく、調光可能な検出結果が得られる（得られ続ける）まで、ＰＷＭ信号の周波数を上げる（下げる）構成であればよい。そして、この構成であれば、マイコンは、４ＭＨｚでも、８ＭＨｚでも、あるいは１６ＭＨｚなどでも構わない。
【００４３】
（第２実施形態）
図３は本発明に係る第２実施形態の放電灯点灯装置の構成図、図４は対数調光曲線を示す図である。
【００４４】
第２実施形態の放電灯点灯装置２は、図３に示すように、放電灯１１と、ＰＷＭ／ＤＣ変換器１４と、オシレータ１５とを第１実施形態と同様に備えているほか、第１実施形態との相違点として、インバータ２２と、マイコン２３とを備えている。
【００４５】
インバータ２２は、第１実施形態のインバータ１２との相違点として、ＤＣ−ＡＣ変換器の出力のスイッチング素子Ｑ３に、インダクタンス素子Ｌ２を介してコンデンサＣ２を接続し、このコンデンサＣ２に並列に放電灯１１を接続し、この放電灯１１の各フィラメントに予熱回路１２１を接続した構成になっており、０．１〜１００％の調光幅を持つ。
【００４６】
マイコン２３は、通信ケーブルＬｓからの信号に従って、図４に示すＤＡＬＩ仕様の対数曲線に沿って、スイッチング素子Ｑ２，Ｑ３のスイッチング制御を行うものであり、ＰＷＭ信号の周波数を変化させる。
【００４７】
ここで、マイコン２３は、例えば４ＭＨｚのマイコンである場合には、光出力が０．１％の近傍ではＰＷＭ信号の周波数を１１０Ｈｚに設定し、光出力が０．５％の近傍ではＰＷＭ信号の周波数を５５７Ｈｚに設定し、そして光出力が３０％の近傍ではＰＷＭ信号の周波数を４７，５７５Ｈｚに設定するようになっている。
【００４８】
調光レベルを急激に変化させたいという用途は、光出力比が高いポイントで多く、またきめ細かく微妙に光出力を変化させたいという要望は、光出力比が低いポイントで多い。そのため、インバータ２２が０．１〜１００％の広い調光範囲を持つ場合、マイコン２３は、光出力比が小さいところではＰＷＭ信号の周波数を低くし、光出力比が高いところでは、ＰＷＭ信号の周波数を高くする。
【００４９】
これにより、急激な調光レベルの変化と微妙な光出力の変化の双方に対応可能な放電灯点灯装置を得ることができる。
すなわち、本実施の形態にかかる放電灯点灯装置は、通信ケーブルからの調光信号に応じてマイクロコンビュータが出力するＰＷＭ信号の周波数を変化させるので、例えば急激な調光レベルの変化と微妙な光出力の変化の双方に対応可能となる。また、この放電灯点灯装置は、通信ケーブルからの調光信号に応じて出力電力が大きくなるほどマイクロコンピュータが出力するＰＷＭ信号の周波数を高くするので、例えば急激な調光レベルの変化に好適に対応可能となる。
【００５０】
なお、第２実施形態では、光出力が０．１％の近傍ではＰＷＭ信号の周波数を１１０Ｈｚに設定し、光出力が０．５％の近傍ではＰＷＭ信号の周波数を５５７Ｈｚに設定し、そして光出力が３０％の近傍ではＰＷＭ信号の周波数を４７，５７５Ｈｚに設定する構成になっているが、これに限らず、例えば、光出力が０．１％≦Ｘ＜０．５％の範囲内ではＰＷＭ信号の周波数を１１０Ｈｚに設定し、光出力が０．５％≦Ｘ＜３０％の範囲内ではＰＷＭ信号の周波数を５５７Ｈｚに設定し、そして光出力が３０％≦Ｘ≦１００％の範囲内ではＰＷＭ信号の周波数を４７，５７５Ｈｚに設定する構成でもよい。
【００５１】
（第３実施形態）
図５は本発明に係る第３実施形態の放電灯点灯装置の構成図、図６は図５中のＰＷＭ／ＤＣ変換器の回路例を示す図、図７は図５中のマイコンから出力されるＰＷＭ信号の波形図である。
【００５２】
第３実施形態の放電灯点灯装置３は、図５に示すように、放電灯１１と、インバータ１２と、オシレータ１５とを図１０に示した放電灯点灯装置９と同様に備えているほか、放電灯点灯装置９との相違点として、ＰＷＭ／ＤＣ変換器３４と、マイコン３３とを備えている。
【００５３】
ＰＷＭ／ＤＣ変換器３４は、図６に示すように、従来と同様のＣＲ回路により構成されているが、従来との相違点として、ＣＲ回路の抵抗Ｒ３４およびコンデンサＣ３４の時定数が調光のレスポンスを早くするために１ｓ程度に設定されている。
【００５４】
マイコン３３は、通信ケーブルＬｓからの信号に従って、スイッチング素子Ｑ２，Ｑ３のスイッチング制御を行うものであり、従来のマイコン８３との相違点として、ＰＷＭ信号の周波数を変化させる。つまり、マイコン３３は、ＰＷＭ信号の周波数をインバータ１２の調光範囲または調光レベルに合わせて最適化し、時定数が１ｓ程度のＣＲ回路で十分平滑可能な一定の周波数のＰＷＭ信号を出力し、そのオンデューティを変更するのである。
【００５５】
ここで、インバータ１２が例えば０．１〜１００％の調光幅を持つ場合、調光下限において、光出力が０．１％近傍であるときにＰＷＭ信号の周波数が高ければ、調光ステップが粗くなり、調光下限近傍でのチラツキが目立つという課題が生じるので、第３実施形態では、マイコン３３は、図７に示すように、ＰＷＭ信号の周波数を高い一定にしたまま、調光下限近傍で、ＰＷＭ信号のオンデューティの値を変更する。
【００５６】
すなわち、従来のマイコンが、図７（ａ）の例に示すように、５０％のオンデューティでＰＷＭ信号を出力した後、調光信号に応じて、図７（ｃ）の例に示すように、そのオンデューティを６０％に変更する場合、第３実施形態のマイコン３３は、図７（ａ）の出力と図７（ｃ）の出力との間に、周波数を一定にしたまま、そのオンデューティを５０％と６０％の異なる値に交互に変更したＰＷＭ信号を出力するのである。
【００５７】
これにより、ＰＷＭ／ＤＣ変換器３４の出力に、オンデューティが５０％と６０％との間の５５％に相当するレベルのＤＣ電圧が得られる。つまり、第３実施形態のマイコン３３の制御によれば、本来の分解能以上のより多いステップ数のレベルのＤＣ電圧を得ることができるため、調光下限近傍でより細かい制御が必要となったときでも、ＰＷＭ周波数を一定にしたまま、ステップ数を増やすことができる。
【００５８】
この制御により、ＤＡＬＩシステムのような対数曲線に準じたきめ細かな調光カーブも制御可能であり、ＰＷＭ信号の周波数を高くすることによって、調光信号に対するレスポンスを早めることが可能となった。
【００５９】
【発明の効果】
以上のことから明らかなように、請求項１記載の発明は、放電灯と、通信ケーブルからの信号に応じてＰＷＭ信号を出力する通信用のマイクロコンピュータと、このマイクロコンピュータから出力されるＰＷＭ信号をＤＣ電圧に変換する変換器と、この変換器によって変換されたＤＣ電圧のレベルに応じて周波数を変化させて動作し、交流電源から電力を得て放電灯を点灯するインバータとを備え、マイクロコンピュータは、通信ケーブルからの調光信号に応じてＰＷＭ信号のオンデューティを変化させ、調光下限近傍以外での信号に対する出力の変化度合いと調光下限近傍での信号に対する出力の変化度合いを異ならせており、インバータは、調光変化幅の異なる複数種類のインバータの何れかであって、当該インバータの調光変化幅に応じてマイクロコンピュータが出力するＰＷＭ信号の周波数を変化させるので、信号に対する光出力の反応速度を高めて、光出力をきめ細かく変化させることができる。
【００６０】
また、インバータの調光変化幅に応じてマイクロコンピュータが出力するＰＷＭ信号の周波数を変化させるので、光出力をきめ細かく変化させることができる。
【００６１】
請求項２記載の発明は、請求項１記載の放電灯点灯装置において、インバータの調光変化幅の狭いものほどマイクロコンピュータが出力するＰＷＭ信号の周波数を高くするので、信号に対する光出力の反応速度を高めて、光出力をきめ細かく変化させることができる。
【図面の簡単な説明】
【図１】本発明に係る第１実施形態の放電灯点灯装置の構成図である。
【図２】０．１％の最小調光レベルの対数調光曲線を示す図である。
【図３】本発明に係る第２実施形態の放電灯点灯装置の構成図である。
【図４】対数調光曲線を示す図である。
【図５】本発明に係る第３実施形態の放電灯点灯装置の構成図である。
【図６】図５中のＰＷＭ／ＤＣ変換器の回路例を示す図である。
【図７】図５中のマイコンから出力されるＰＷＭ信号の波形図である。
【図８】従来のシステム構成図である。
【図９】図８中の放電灯点灯装置の構成図である。
【図１０】調光時に光出力がちらつくなどの課題を解決し得る従来の放電灯点灯装置の構成図である。
【図１１】図１０中のＰＷＭ／ＤＣ変換器の回路例を示す図である。
【符号の説明】
１  放電灯点灯装置
１１  放電灯
１２  インバータ
１３  マイコン
１４  ＰＷＭ／ＤＣ変換器
１５  オシレータ
１６  出力検出部
【図１】
0004971562.tif 000004
【図２】
0004971562.tif 000005
【図３】
0004971562.tif 000006
【図４】
0004971562.tif 000007
【図５】
0004971562.tif 000008
【図６】
0004971562.tif 000009
【図７】
0004971562.tif 000010
【図８】
0004971562.tif 000011
【図９】
0004971562.tif 000012
【図１０】
0004971562.tif 000013
【図１１】
0004971562.tif 000014